(57)【要約】【課題】  呼び出す個別ＩＤを任意に指定したい場合においても、使うＩＤ数をできるだけ少なくことで、子局への呼び出し時間を短縮できる同報無線システムを提供する。【解決手段】  本発明は親局及び個別ＩＤを有する子局を有する防災同報無線システムであって、前記親局は操作卓を有し、前記操作卓は記憶部と制御部を有し、前記記憶部には前記個別ＩＤとそれが属する群ＩＤが記憶され、前記制御部は呼び出す個別ＩＤを複数指定し、前記指定された複数の個別ＩＤが属する群ＩＤを前記記憶部に照会し、個々の前記個別ＩＤからそれが属する群ＩＤへの変換を少なくとも一つ行い、前記群ＩＤを用いて前記子局の呼び出しを行う。【選択図】      図１
2014039189.tif 000002
【特許請求の範囲】
【請求項１】
親局及び個別ＩＤを有する子局を有する防災同報無線システムであって、前記親局は操作卓を有し、前記操作卓は記憶部と制御部を有し、
前記記憶部には前記個別ＩＤとそれが属する群ＩＤが記憶され、
前記制御部は呼び出す個別ＩＤを複数指定し、前記指定された複数の個別ＩＤが属する群ＩＤを前記記憶部に照会し、個々の前記個別ＩＤからそれが属する群ＩＤへの変換を少なくとも一つ行い、
前記群ＩＤを用いて前記子局の呼び出しを行うことを特徴とする同報防災無線システム。
【請求項２】
前記個別ＩＤが含まれる群ＩＤが呼び出し対象以外の個別ＩＤを含む場合、群ＩＤに変換せず個別ＩＤのままで呼び出しを行うことを特徴とする請求項１に記載の同報防災無線システム。
【請求項３】
前記個別ＩＤが含まれる群ＩＤが呼び出し対象以外の個別ＩＤを含む場合でも、群ＩＤに変換して呼び出しを行うことを特徴とする請求項１に記載の同報防災無線システム。
【請求項４】
前記個別ＩＤが含まれる群ＩＤが呼び出し対象以外の個別ＩＤを含む場合、前記群ＩＤに含まれる前記呼び出し対象の個別ＩＤの割合が所定の割合以上であるとき前記群ＩＤで呼び出しを行い、前記所定の割合未満であるときは個別ＩＤのまま呼び出しを行うことを特徴とする請求項３に記載の同報防災無線システム。
【請求項５】
呼び出し対象の個別ＩＤのみが含まれた群ＩＤがなく、呼び出し対象の個別ＩＤ以外も含まれた群ＩＤだけの場合、前記呼び出し対象の個別ＩＤの割合が所定の割合以上含まれている群ＩＤを呼び出しに用いることを特徴とする請求項４に記載の同報防災無線システム。
【請求項６】
子局の位置を表示する地図を備えた地図情報表示装置を有し、前記操作卓からの操作によって前記地図上で呼び出し対象エリアが選択されたら、前記エリア内に存在する子局の個別ＩＤを指定する手段を有することを特徴とする請求項１から５のいずれか一項に記載の同報防災無線システム。
【請求項７】
子局の位置を表示する地図を備えた地図情報表示装置を有し、前記操作卓からの操作によって前記地図上で呼び出し対象エリアが選択されたら、前記エリア内に存在する子局を表示し、呼び出す子局を選択し、選択された子局の個別ＩＤを指定する手段を有する請求項１から５のいずれか一項に記載の同報防災無線システム。
【請求項８】
子局の位置を表示する地図を備えた地図情報表示装置を有し、前記操作卓からの操作によって前記地図上で呼び出し対象子局が選択されたら、前記呼び出し対象子局の個別ＩＤを指定する手段を有する請求項１から５のいずれか一項に記載の同報防災無線システム。
【請求項９】
操作卓及び親局無線装置を有する防災同報無線親局であって、
前記操作卓は記憶部と制御部を有し、
前記記憶部には前記個別ＩＤとそれが属する群ＩＤが記憶され、
前記制御部は呼び出す個別ＩＤを複数指定し、前記指定された複数の個別ＩＤが属する群ＩＤを前記記憶部に照会し、個々の前記個別ＩＤからそれが属する群ＩＤへの変換を少なくとも一つ行い、前記群ＩＤを用いて前記親局無線装置に子局の呼び出しを指示することを特徴とする同報防災無線親局。
【請求項１０】
親局及び個別ＩＤを有する子局を有する防災同報無線の放送方法であって、前記親局は操作卓を有し、前記操作卓は前記個別ＩＤとそれが属する群ＩＤの組み合わせを記憶し、前記操作卓が前記個別ＩＤを複数指定した場合、前記複数の個別ＩＤが属する群ＩＤを前記記憶部に照会し、個々の前記個別ＩＤからそれが属する群ＩＤへの変換を少なくとも一つ行い、前記子局の呼び出しを行うことを特徴とする同報防災無線の放送方法。
【発明の詳細な説明】
【技術分野】
【０００１】
本発明は、同報防災無線システム及び同報防災無線の放送方法に関し、特に呼び出すＩＤ（Ｉｄｅｎｔｉｆｉｅｒ）の数を減らすことのできる同報防災無線システム及び同報防災無線の放送方法に関する。
【背景技術】
【０００２】
防災などの目的で用いる無線通信システムには次のようなものが知られている。特開２０１１−１８８１６９（特許文献１）で開示された無線通信システムは、センター局、屋外拡声子局、戸別受信機から構成され、センター局は、操作卓、親局装置から構成されている。このシステムでは、通報種別に対応する子局識別番号に一括番号、グループ番号、個別番号を設定し、緊急一括通報方式であっても、グループ通報を行うことができる。
【０００３】
以下個々の子局を識別するための識別番号を個別ＩＤと称し、同じグループに所属する複数の子局を一括して指定するための識別番号を群ＩＤと称する。
【０００４】
また特開２０１２−００４８７７（特許文献２）で開示された防災同報無線システムは、親局装置と子局装置とを備え、親局装置は無線送受信装置と操作卓とを備える。無線送受信装置は子局装置に防災情報を放送している。また河川浸水想定区域、地震災害危険区域など予めエリアを設定しておき、呼び出しを行う時はそのエリアを選択し、そのエリアに関連付けて登録された子局装置を抽出して呼び出しを行っている。
【先行技術文献】
【特許文献】
【０００５】
【特許文献１】特開２０１１−１８８１６９
【特許文献２】特開２０１２−００４８７７
【発明の概要】
【発明が解決しようとする課題】
【０００６】
特許文献１では、グループ通報を行う時は送信対象としてグループ名称を入力し、個別通報を行う時は個別名称を入力している。群ＩＤと対応するグループ名称は、予め定めた複数の個別ＩＤと対応付けられている。
【０００７】
そのため呼び出す個別ＩＤを任意に指定したい場合、例えば、エリアを任意に設定して呼び出しを行う場合は、指定した個別ＩＤの集まりが一つの群ＩＤでカバーできる確率は低い。前述のように、群ＩＤは予め決めておいた複数の個別ＩＤ（つまり予め決めておいた複数の子局）を一括して指定するものであるので、任意のエリアに対して呼び出しを行いたい場合、その任意のエリアに存在する子局は一つの既存の群ＩＤで指定することは困難である。そのため個別ＩＤを複数指定する操作を行うことになり、その結果、全ての子局を呼び出すのに時間が掛かかってしまうという問題があった。
【０００８】
また特許文献２では、呼び出したいエリアに関連付けられた子局を抽出しているが、特許文献１と同じくエリアは前もって登録しておくので、呼び出し時に任意に対象エリアを設定することはできない。
【０００９】
操作卓から呼び出し操作をする際、呼び出しに掛かる時間は、選んだＩＤ数に比例して増大するが、呼び出しに掛かる時間はできる限り短縮することが望ましい。特に防災など緊急を要する用途の場合に時間短縮は重要である。時間短縮には群ＩＤを使うことが有効であるが、各子局がどの群ＩＤに所属しているかを短時間で把握するのは困難である。
【００１０】
本発明の目的は、以上述べた問題点を解決し、呼び出す個別ＩＤを任意に指定したい場合においても、使うＩＤ数をできるだけ少なくすることで、子局への呼び出し時間を短縮できる同報無線システムを提供することである。
【課題を解決するための手段】
【００１１】
本発明は、親局及び個別ＩＤを有する子局を有する防災同報無線システムであって、前記親局は操作卓を有し、前記操作卓は記憶部と制御部を有し、前記記憶部には前記個別ＩＤとそれが属する群ＩＤが記憶され、前記制御部は呼び出す個別ＩＤを複数指定し、前記指定された複数の個別ＩＤが属する群ＩＤを前記記憶部に照会し、個々の前記個別ＩＤからそれが属する群ＩＤへの変換を少なくとも一つ行い、前記群ＩＤを用いて前記子局の呼び出しを行うことを特徴とする同報防災無線システムである。
【００１２】
また本発明は、操作卓及び親局無線装置を有する防災同報無線親局であって、前記操作卓は記憶部と制御部を有し、前記記憶部には前記個別ＩＤとそれが属する群ＩＤが記憶され、前記制御部は呼び出す個別ＩＤを複数指定し、前記指定された複数の個別ＩＤが属する群ＩＤを前記記憶部に照会し、個々の前記個別ＩＤからそれが属する群ＩＤへの変換を少なくとも一つ行い、前記群ＩＤを用いて前記親局無線装置に子局の呼び出しを指示することを特徴とする同報防災無線親局である。
【００１３】
また本発明は、親局及び個別ＩＤを有する子局を有する防災同報無線の放送方法であって、前記親局は操作卓を有し、前記操作卓は前記個別ＩＤとそれが属する群ＩＤの組み合わせを記憶し、前記操作卓が前記個別ＩＤを複数指定した場合、前記複数の個別ＩＤが属する群ＩＤを前記記憶部に照会し、個々の前記個別ＩＤからそれが属する群ＩＤへの変換を少なくとも一つ行い、前記子局の呼び出しを行うことを特徴とする同報防災無線の放送方法である。
【発明の効果】
【００１４】
本発明では、複数の個別ＩＤを呼び出す場合に、ＩＤ数を減らして呼び出し時間を短縮することが可能となる。
【図面の簡単な説明】
【００１５】
【図１】本発明の第１の実施形態を示すブロック図である。
【図２】本発明の第１の実施形態の動作を説明するフローチャートである。
【図３】本発明の第１の実施形態での個別ＩＤから群ＩＤへの変換を説明する図である。
【発明を実施するための形態】
【００１６】
（第１の実施形態）
＜実施形態の構成＞
図１は本発明の第１の実施形態を示すブロック図である。本実施形態は防災同報無線システムであり、親局１００と複数の子局３Ａ，３Ｂ，３Ｃを備えている。以下子局３Ａ，３Ｂ，３Ｃを特に区別しない場合は総称して子局３と称する。
【００１７】
親局１００は操作卓１、親局無線装置２、地図表示装置４を備えている。操作卓１は、制御部１１、メモリ部１２，表示部１３（ディスプレイ）、入力部１５を備えている。入力部１５は例えばマウス、タッチパネル、キーボード等であり、これらを複数または全て備えていても良い。
【００１８】
地図表示装置４は表示制御部４１、地図記憶部４２、表示部４３（ディスプレイ）を備えている。なお表示部を２つ設けず１つの表示部を操作卓１と地図表示装置４で共有してもよい。親局無線装置２は、操作卓１と有線で通信を行い操作卓１からの指示に従って各子局３と無線通信を行う。
【００１９】
呼び出された子局３は親局無線装置２からの無線を受信し、拡声放送等の指示された動作を行なう。子局は自分の個別ＩＤと群ＩＤを記憶しており、親局無線装置２から送信された群ＩＤまたは個別ＩＤで自分が指定されると、送信された情報を放送する。放送内容は例えば警告用サイレン、音声による防災情報である。
【００２０】
子局３Ａ，３Ｃは屋外拡声子局、子局３Ｂは戸別受信機である。屋外拡声子局は屋外に固定的に設置され拡声器で放送を行う。戸別受信機は各家庭、事業所などに設置され、同様に放送を行う。
【００２１】
メモリ部１２は子局の個別ＩＤとそれが属する群ＩＤ及び両者の対応テーブル、子局の位置情報、子局へ送信する情報、子局の種類（屋外拡声子局、戸別受信機等）等が記憶されている。これらの情報は図示しない子局情報登録手段により、前もってメモリ部１２に登録しておく。
【００２２】
操作卓１はシステム全体を操作・制御し、最適なＩＤ変換を演算する機能を持つ。制御部１１は親局１００の制御を行うもので、入力部１５からの操作者の入力に基づいて、メモリ部１２からの個別ＩＤ、群ＩＤの取得、地図表示装置４への表示すべき地図、子局、個別ＩＤの指定、親局無線装置２への子局呼び出し指示、表示部１３への表示の指示などを行う。制御部１１はＣＰＵ（Ｃｅｎｔｒａｌ  Ｐｒｏｃｅｓｓｉｎｇ  Ｕｎｉｔ）で構成されている。操作卓１は専用装置でもよいし、一般的なＰＣ（Ｐｅｒｓｏｎａｌ  Ｃｏｍｐｕｔｅｒ）にソフトをインストールして機能を実現させるものでもよい。
【００２３】
操作卓１での放送操作時、放送対象のエリアあるいは対象子局（通常は複数）を選択した際に、選択した子局の個別ＩＤが、メモリ部１２で管理されている群ＩＤに属する個別ＩＤと一致した場合、制御部１１はその個別ＩＤを群ＩＤと置き換える。
【００２４】
地図表示装置４は放送区域の地図を表示するもので、表示制御部４１、地図記憶部４２、表示部４３を有し、地図上に子局の位置、個別ＩＤ、種類が表示される。表示制御部４１は地図記憶部４２に記憶された地図情報と、メモリ部１２に記憶され制御部１１経由で送られた子局位置情報、個別ＩＤ情報をリンクさせて表示部４３に表示させる。
【００２５】
なお地図情報、子局の位置の情報は図示しない地図情報登録手段により、前もって地図記憶部４２に登録しておく。またメモリ部１２に登録している子局位置情報、個別ＩＤ情報、子局の種類は地図記憶部４２の方に登録しておいてもよい。
＜実施形態の動作＞
図２は本実施形態の動作を説明するフローチャート、図３は本実施形態での個別ＩＤから群ＩＤへの置き換えを説明する図である。図３中の「子」は子局を示す。
【００２６】
まず操作者は、地図表示装置４の地図画面上で放送したいエリアを選択する（Ｓ３０１）。図３では地図そのものは省略している。選択は、図３に示すようにマウスによるクリック＆ドロップで行うか（図３の（１））、タッチパネルであれば指またはペンのタッチ→スライド→ドロップの操作で行う。エリアを選択するとそのエリア内の子局は全て選択される。エリアの選択ではなく子局（本実施形態では子局１００３）を個別に選択するには、（Ｃｔｒｌ＋クリック）操作あるいはタップ操作（指で叩く操作）を行う（図３の（２））。この方法は例えば一旦エリアを選択したあと追加して選択したい場合、選択したい子局と選択したくない子局が混在しているなどの理由でエリア選択がしにくい場合、または、エリア選択ではなく子局を個々に選択する場合に使う。本実施形態ではエリア範囲選択と個別選択の両方を用いているが、片方だけでもよい。
【００２７】
次に制御部１１が、Ｓ３０１工程で選択された範囲内に存在する子局３の情報をサーチし、範囲内に存在する子局の全個別ＩＤを抽出する（Ｓ３０２）。
【００２８】
制御部１１は、メモリ部１２に照会して、抽出した個別ＩＤをそれが属する群ＩＤに置き換えることで、可能な限り少ないＩＤ数となるようにする（Ｓ３０３）。
【００２９】
この変換を図３で説明する。図３は子局の選択とそのあとの個別ＩＤから群ＩＤへの変換を説明する図である。画面表示された子局は５つあり、個別ＩＤは１０００，１００１，１００３，１０２５、１１００である。放送対象子局の個別ＩＤは１０００，１００１，１００３，１０２５の４つであるとする。個別ＩＤ１０００，１００１，１００３の子局は群ＩＤ２０００に属し、個別ＩＤ１０２５，１１００の子局は群ＩＤ２００１に属する。
【００３０】
制御部１１は、メモリ部１２に照会して１０００，１００１，１００３の３つが群ＩＤ２０００に属する個別ＩＤであると判別するので、１０００，１００１，１００３を群ＩＤ２０００に置き換える。しかし個別ＩＤ１０２５は群ＩＤ２０００ではなく２００１に属しており、２００１は１０２５以外に、呼び出し対象外の個別ＩＤ１１００を含んでいる。そのため個別ＩＤ１０２５は群ＩＤに変換せず、個別ＩＤのままで呼び出しを行う。最終的に制御部１１が指定して呼び出すＩＤは、個別ＩＤの１０２５と群ＩＤの２０００である（図３の（３））。
【００３１】
そのあと制御部１１は、指定したＩＤにて親局無線装置２に呼び出し開始を指示する（Ｓ３０４）。親局無線装置２は呼び出した子局３に対して放送を行い（Ｓ３０５）、終了する。
【００３２】
放送内容の文字データまたは画像データがあれば表示部１３に表示させて確認できる。音声であればスピーカー（図示せず）から出すようにする。
【００３３】
以上のようにすれば、呼び出し対象ＩＤ数が４つから２つに減ることになり、操作者が特別な対応をする事無く自動で呼び出し時間を半減させることができる。呼び出し時間が減ることによって、例えば津波警報、緊急地震速報のような避難、待避といった、急いで行動する必要があるケースでも、迅速に放送を行うことが可能になる。また地図上で範囲を選択する機能を使えば、操作者は短時間で放送することが可能となる。
【００３４】
図３の例では、呼び出しに使う群ＩＤは一つだけであるが、当然複数になることもあり、ＩＤ数削減の効果はさらに高くなる。ただしその場合でも、呼び出しに使う群ＩＤを一つだけにし、それ以外を個別ＩＤで呼び出しても構わない。呼び出すＩＤ数が減少しさえすれば効果がある。
【００３５】
図３の例では、エリアを矩形に選択しているが、フリーフォーム、フリーハンドで任意の形状に選択できるようにしておけば、正確な選択をより短時間で行うことができる。
【００３６】
なお図３では子局の個別ＩＤを表示部４３の地図画面上に表示しているが、操作者が煩雑に感じる恐れもあり、表示しないようにしてもよい。また図３では子局を最初から地図画面上に表示しているが、エリア範囲選択後に子局を表示するようにすると、煩雑さはさらに軽減される。個別ＩＤの表示の有無と子局の表示のタイミングは、地図の煩雑さ等に応じて設定を変更すればよい。
【００３７】
また選択されたエリア内の子局を自動的に選択せず、エリア範囲選択後子局が表示されたら、上記のＣｔｒｌ＋クリックやタップ操作等で個別に子局を選択するようにしてもよい。これはエリア内に存在する子局の一部を対象外にしたいときに便利である。
【００３８】
また、上記実施形態では放送するエリアを地図上で選択して、そのエリアに含まれる子局とその個別ＩＤを抽出したが、対象地区がＡ区１０番地から２０番地またはＢ市Ｃ地区などと分かっていれば、入力部１５からそれを選択する方法でも良い。
【００３９】
そのために、メモリ部１２に番地、地区の情報を記憶しておき、表示部１３に一覧表示させて選択する。または地図記憶部４２に地図とリンクさせて市、番地、地区等住所情報を記憶しておき、表示部１３に一覧表示させて選択する。
【００４０】
また子局が屋外拡声器である場合、拡声器で音声が届く範囲を子局と共に表示すると、エリアの選択がより正確になる。また子局の種類例えば拡声器か戸別受信機かを併せて表示するのも正確な選択の助けになる。
【００４１】
また、エリア範囲選択はマウスによるクリック＆ドロップで行うので、操作者が急いでいる場合には範囲選択の精度が悪くなる恐れがある。選択範囲の外側に近接して存在する子局があれば、その近接子局も表示色を変えるか点滅させる等で表示させて、操作者へ注意喚起するようにしてもよい。
【００４２】
また子局は親局からの放送を受信するだけではなく、子局から親局に例えば受信確認のような何らかの応答をする機能を備えていてもよい。
（第２の実施形態）
第１の実施形態では、属する個別ＩＤが全て呼び出し対象である群ＩＤ（完全一致）だけを呼び出しに使い、対象でない子局が一つでも含まれている（不完全一致）と、群ＩＤは使わず個別ＩＤを使っている。しかしある一つの群ＩＤの下にある複数の個別ＩＤの例えば９０％が呼び出し対象であれば、その群ＩＤを使って呼び出しを行ってもよい。残り１０％は不要な呼び出しになるが、より一層の時間短縮を行うことができる。ここではこの９０％を一致率と呼ぶ。
【００４３】
操作卓１で一致率を設定可能とすることもできる。例えば操作者が、入力部１５から制御部１１に対して、一致率を８０％以上と設定したとする。変換された群ＩＤに含まれる個別ＩＤのうち８５％が呼び出し対象である場合はその群ＩＤを使う。しかし７５％の場合は個別ＩＤを群ＩＤに変換せず個別ＩＤのままで呼び出す。呼び出し不要な個別ＩＤの混在をなるべく少なくするため、一致率は所定以上の率であることが望ましい。
【００４４】
また、エリアを選択あるいは子局を個別に選択した場合に、呼び出し対象の個別ＩＤのみが含まれた群ＩＤがなく、呼び出し対象の個別ＩＤ以外も含まれた群ＩＤだけになる場合もありうる。その場合でも、一致率が所定以上の群ＩＤを呼び出しに用いればよい。
【００４５】
以上説明した第１，第２の実施形態において、放送する内容としては防災情報そのものに限らず、災害情報、警報、あるいは、行方不明者の捜索協力の依頼等も含まれる。また音声情報は予め用意した情報でも、その場で操作者が話す情報でもよい。操作卓にマイクとスピーカーを備えておくことができる。
【００４６】
また音声情報に限らず文字情報、画像情報またはそれらの組み合わせでもよい。画像情報は例えば避難指示であれば避難場所への道順などである。
【産業上の利用可能性】
【００４７】
本発明は例えば６０ＭＨｚ帯デジタル同報防災無線システムに用いることができる。
【００４８】
上記の実施形態の一部または全部は、以下のようにも記載されうるが、以下には限定されない。
（付記１）
親局及び個別ＩＤを有する子局を有する防災同報無線システムであって、前記親局は操作卓を有し、前記操作卓は記憶部と制御部を有し、
前記記憶部には前記個別ＩＤとそれが属する群ＩＤが記憶され、
前記制御部は呼び出す個別ＩＤを複数指定し、前記指定された複数の個別ＩＤが属する群ＩＤを前記記憶部に照会し、個々の前記個別ＩＤからそれが属する群ＩＤへの変換を少なくとも一つ行い、
前記群ＩＤを用いて前記子局の呼び出しを行うことを特徴とする同報防災無線システム。
（付記２）
前記個別ＩＤが含まれる群ＩＤが呼び出し対象以外の個別ＩＤを含む場合、群ＩＤに変換せず個別ＩＤのままで呼び出しを行うことを特徴とする付記１に記載の同報防災無線システム。
（付記３）
前記個別ＩＤが含まれる群ＩＤが呼び出し対象以外の個別ＩＤを含む場合でも、群ＩＤに変換して呼び出しを行うことを特徴とする付記１に記載の同報防災無線システム。
（付記４）
前記個別ＩＤが含まれる群ＩＤが呼び出し対象以外の個別ＩＤを含む場合、前記群ＩＤに含まれる前記呼び出し対象の個別ＩＤの割合が所定の割合以上であるとき前記群ＩＤで呼び出しを行い、前記所定の割合未満であるときは個別ＩＤのまま呼び出しを行うことを特徴とする付記３に記載の同報防災無線システム。
（付記５）
呼び出し対象の個別ＩＤのみが含まれた群ＩＤがなく、呼び出し対象の個別ＩＤ以外も含まれた群ＩＤだけの場合、前記呼び出し対象の個別ＩＤの割合が所定の割合以上含まれている群ＩＤを呼び出しに用いることを特徴とする付記４に記載の同報防災無線システム。
（付記６）
子局の位置を表示する地図を備えた地図情報表示装置を有し、前記操作卓からの操作によって前記地図上で呼び出し対象エリアが選択されたら、前記エリア内に存在する子局の個別ＩＤを指定する手段を有することを特徴とする付記１から５のいずれか一項に記載の同報防災無線システム。
（付記７）
子局の位置を表示する地図を備えた地図情報表示装置を有し、前記操作卓からの操作によって前記地図上で呼び出し対象エリアが選択されたら、前記エリア内に存在する子局を表示し、呼び出す子局を選択し、選択された子局の個別ＩＤを指定する手段を有する付記１から５のいずれか一項に記載の同報防災無線システム。
（付記８）
子局から情報が届く範囲も地図上に表示することを特徴とする付記６または７のいずれか一項に記載の同報防災無線システム。
（付記９）
前記地図上で選択された呼び出し対象エリアの外側に近接して存在する子局も地図上に表示することを特徴とする付記６に記載の同報防災無線システム。
（付記１０）
子局の位置を表示する地図を備えた地図情報表示装置を有し、前記操作卓からの操作によって前記地図上で呼び出し対象子局が選択されたら、前記呼び出し対象子局の個別ＩＤを指定する手段を有する付記１から５のいずれか一項に記載の同報防災無線システム。
（付記１１）
操作卓及び親局無線装置を有する防災同報無線親局であって、
前記操作卓は記憶部と制御部を有し、
前記記憶部には前記個別ＩＤとそれが属する群ＩＤが記憶され、
前記制御部は呼び出す個別ＩＤを複数指定し、前記指定された複数の個別ＩＤが属する群ＩＤを前記記憶部に照会し、個々の前記個別ＩＤからそれが属する群ＩＤへの変換を少なくとも一つ行い、前記群ＩＤを用いて前記親局無線装置に子局の呼び出しを指示することを特徴とする同報防災無線親局。
（付記１２）
親局及び個別ＩＤを有する子局を有する防災同報無線の放送方法であって、前記親局は操作卓を有し、前記操作卓は前記個別ＩＤとそれが属する群ＩＤの組み合わせを記憶し、前記操作卓が前記個別ＩＤを複数指定した場合、前記複数の個別ＩＤが属する群ＩＤを前記記憶部に照会し、個々の前記個別ＩＤからそれが属する群ＩＤへの変換を少なくとも一つ行い、前記子局の呼び出しを行うことを特徴とする同報防災無線の放送方法。
【符号の説明】
【００４９】
１    操作卓
２    親局無線装置
３Ａ，３Ｂ，３Ｃ    子局
４    地図表示装置
１１    制御部
１２    メモリ部
１３  表示部
１５    入力部
４１    表示制御部
４２    地図記憶部
４３    表示部
１００    親局
【図１】
2014039189.tif 000003
【図２】
2014039189.tif 000004
【図３】
2014039189.tif 000005